(57)【要約】      （修正有）【課題】放熱シートはプラズマディスプレイパネル駆動時の時、外部への熱放出率が高く、この為熱による誤放電が発生するのを抑制できる平板表示装置用放熱シート及びそれを含んだ平板表示装置を提供する。【解決手段】本発明による平板表示装置は電磁波遮蔽、外部光の反射防止などの所定の機能を持つ機能性フィルターと金属混合物と接着剤を含む放熱シートを表示パネル、前記表示パネルの背面に形成されたフレーム及び前記表示パネルと前記フレームの間に形成する。【選択図】図３
2006201794.tif 000002
【特許請求の範囲】
【請求項１】
表示パネルと、
前記表示パネルの背面に形成されたフレームと、
前記表示パネルと前記フレームの間に形成された金属混合物と粘着剤を含む放熱シートを含むことを特徴とする平板表示装置。
【請求項２】
前記金属混合物はシリコーン樹脂と伝導性物質であることを特徴とする、請求項１記載の平板表示装置。
【請求項３】
前記伝導性物質の組成割合は全体造成割合の１０％以上５０％以下であることを特徴とする、請求項２記載の平板表示装置。
【請求項４】
前記伝導性物質はＣｕ、Ａｇ、Ｔｉ、Ｚｎ、Ｃｒ、Ａｌ、Ａｕの中で少なくとも何れの一つ以上を含むことを特徴とする、請求項３記載の平板表示装置。
【請求項５】
前記金属混合物はウレタン樹脂と伝導性物質であることを特徴とする、請求項１記載の平板表示装置。
【請求項６】
前記伝導性物質の組成割合は、全体造成割合の１０％以上５０％以下であることを特徴とする、請求項５記載の平板表示装置。
【請求項７】
前記伝導性物質は、Ｃｕ、Ａｇ、Ｔｉ、Ｚｎ、Ｃｒ、Ａｌ、Ａｕの中で少なくとも何れの一つ以上を含むことを特徴とする、請求項６記載の平板表示装置。
【請求項８】
前記放熱シートの抵抗は、１０Ω以上５０Ω以下であることを特徴とする、請求項１記載の平板表示装置。
【請求項９】
表示パネルと、
前記表示パネルの背面に形成されたフレームと、
前記表示パネルと前記フレームの間に形成された粘着層と黒鉛層からなる放熱シートを含むことを特徴とする平板表示装置。
【請求項１０】
前記放熱シートの抵抗は１０Ω以上５０Ω以下であることを特徴とする、請求項９記載の平板表示装置。
【請求項１１】
平板表示装置用放熱シートにおいて、前記放熱シートは金属混合物と粘着剤を含むことを特徴とする平板表示装置用放熱シート。
【請求項１２】
前記金属混合物はシリコーン樹脂と伝導性物質であることを特徴とする、請求項１１記載の平板表示装置用放熱シート。
【請求項１３】
前記伝導性物質の組成割合は全体造成割合の１０％以上５０％以下であることを特徴とする、請求項１２記載の平板表示装置用放熱シート。
【請求項１４】
前記伝導性物質はＣｕ、Ａｇ、Ｔｉ、Ｚｎ、Ｃｒ、Ａｌ、Ａｕの中で少なくとも何れの一つ以上を含むことを特徴とする、請求項１３記載の平板表示装置用放熱シート。
【請求項１５】
前記金属混合物はウレタン樹脂と伝導性物質であることを特徴とする、請求項１１記載の平板表示装置用放熱シート。
【請求項１６】
前記伝導性物質の組成割合は全体造成割合の１０％以上５０％以下であることを特徴とする、請求項１５記載の平板表示装置用放熱シート。
【請求項１７】
前記伝導性物質はＣｕ、Ａｇ、Ｔｉ、Ｚｎ、Ｃｒ、Ａｌ、Ａｕの中で少なくとも何れの一つ以上を含むことを特徴とする、請求項１６記載の平板表示装置用放熱シート。
【請求項１８】
前記放熱シートの抵抗は１０Ω以上５０Ω以下であることを特徴とする、請求項１１記載の平板表示装置用放熱シート。
【発明の詳細な説明】
【技術分野】
【０００１】
本発明は、平板表示装置用放熱シート及びそれを含んだ平板表示装置に関する。
【背景技術】
【０００２】
一般的に平板表示装置はＬＣＤ、ＦＥＤ、有機ＥＬ、プラズマ表示装置などのように多様な種類がある。特に、プラズマ表示装置は、ソーダライム（Ｓｏｄａ−ｌｉｍｅ）ガラスからなる前面基板と背面基板の間に存在する不活性ガスが高周波電圧によって放電される時、真空紫外線（Ｖａｃｕｕｍ  Ｕｌｔｒａｖｉｏｌｅｔ  ｒａｙｓ）が発生されて内部に形成された蛍光体を発光させて画像を具現する装置である。
【０００３】
図１は、従来のプラズマ表示装置の構造を概略的に示す構造である。
【０００４】
図１に示すように、プラズマ表示装置は、外形を決めるフロントキャビネット１１１及びバックカバー（Ｂａｃｋ  ｃｏｖｅｒ、１１２）を含んだケース１１０と、ケース内部の気体放電による真空紫外線で蛍光体を励起させて画像を具現するプラズマ表示パネル１２０と、プラズマ表示パネルを駆動、制御するためにＰＣＢ（Ｐｒｉｎｔｅｄ  Ｃｉｒｃｕｉｔ  Ｂｏａｒｄ）を含んだ駆動装置１３０と、駆動装置と繋がれてプラズマ表示装置駆動の時発生される熱を放出させて、プラズマ表示パネルを支持するためのフレーム１４０と、プラズマ表示パネルとフレームの間に形成されてプラズマ表示パネルの発生される熱をフレームに伝導させる放熱シート（Ａ）と、を含む。
【０００５】
また、プラズマ表示パネルの前面で所定の間隔を持って透明性ガラス基板にフィルムが附着して形成されたフィルター（Ｆｉｌｔｅｒ、１５０）と、フィルターを支持することと同時に金属バックカバーと電気的に連結させるフィンガースプリングガスキット（Ｆｉｎｇｅｒ  Ｓｐｒｉｎｇ  Ｇａｓｋｅｔ、１６０）と、フィルター支持台（Ｆｉｌｔｅｒ  Ｓｕｐｐｏｒｔｅｒ、１７０）と、駆動装置と、を含んだプラズマ表示装置を支持するモジューサポータ（Ｍｏｄｕｌｅ  Ｓｕｐｐｏｒｔｅｒ、１８０）と、を含む。
【０００６】
図２は従来のプラズマ表示装置の放熱シートを概略的に示す図である。
【０００７】
図２に示すように、従来の放熱シート（Ａ）は、フレーム１４０上に形成された後、プラズマ表示パネル１２０に粘着される。このような放熱シート（Ａ）は、フレーム１４０と、前面基板（１２０ａ）と背面基板（１２０ｂ）から形成されるプラズマ表示パネル１２０とを粘着させて、プラズマ表示パネル１２０駆動の時発生される熱をフレーム１４０方向に伝導させる。また、フレーム１４０は、放熱シート（Ａ）によってプラズマ表示パネル１２０に粘着されてプラズマ表示パネル１２０を支持し、放熱シート（Ａ）を通じて伝導された熱を外部に放出する。
【０００８】
しかし、従来の放熱シートは、プラズマディスプレイパネル駆動の時外部への熱放出率が低く、この為熱による誤放電が発生する問題点がある。
【０００９】
また、熱が效率的に外部に放出されなければ、その熱によってプラズマディスプレイパネルを駆動するための駆動装置を損傷させ、これによってプラズマディスプレイ装置の品質を低下させるようになる。
【００１０】
このような熱放出率低下は、プラズマディスプレイ装置だけでなく放熱シートを含む平板表示装置皆の諸般の問題点である。
【発明の開示】
【発明が解決しようとする課題】
【００１１】
本発明の目的は、平板ディスプレイ装置駆動の時発生される熱を效率的に放出させることができる平板ディスプレイ装置用放熱シート及びそれを含んだ平板ディスプレイ装置を提供することにある。
【課題を解決するための手段】
【００１２】
本発明による平板表示装置用放熱シートは金属混合物と粘着剤を含む。
【００１３】
本発明による平板表示装置は、表示パネル、前記表示パネルの背面に形成されたフレーム及び前記表示パネルと前記フレームの間に形成された金属混合物と粘着剤を含む放熱シートを含む。
【００１４】
本発明による他の平板表示装置は、表示パネルと、前記表示パネルの背面に形成されたフレームと、前記表示パネルと前記フレームの間に形成された粘着層及び黒鉛層からなる放熱シートと、を含む。
【００１５】
前記金属混合物は、シリコーン樹脂と伝導性物質であることを特徴とする。
【００１６】
前記伝導性物質の組成割合は、全体造成割合の１０％以上５０％以下であることを特徴とする。
【００１７】
前記伝導性物質は、Ｃｕ、Ａｇ、Ｔｉ、Ｚｎ、Ｃｒ、Ａｌ、Ａｕの中で少なくとも何れか一つ以上を含むことを特徴とする。
【００１８】
前記金属混合物は、ウレタン樹脂と伝導性物質であることを特徴とする。
【００１９】
前記伝導性物質の組成割合は、全体造成割合の１０％以上５０％以下であることを特徴とする。
【００２０】
前記伝導性物質は、Ｃｕ、Ａｇ、Ｔｉ、Ｚｎ、Ｃｒ、Ａｌ、Ａｕの中で少なくとも何れか一つ以上を含むことを特徴とする。
【００２１】
前記放熱シートの抵抗は、１０Ω以上５０Ω以下であることを特徴とする。
【発明の効果】
【００２２】
本発明は、放熱效率を高めて平板表示装置の誤動作を防止することができる效果がある。
【発明を実施するための最良の形態】
【００２３】
以下では、添付された図面を参照にして本発明による望ましい実施形態を詳しく説明する。
【００２４】
図３は、本発明による平板表示装置の中の一例である放熱シートを含んだプラズマディスプレイ装置を示す図である。
【００２５】
図示するように、プラズマディスプレイ装置は、画像を表現するプラズマディスプレイパネル６１０と、プラズマディスプレイパネル６１０の前面に電磁波遮蔽、外部光の反射防止などのような所定の機能を持つ機能性フィルター６２０と、プラズマディスプレイ装置駆動の時発生された熱を後面で放出するための放熱シート６３０と、放熱シート６３０の後面に形成されたフレーム６４０と、フレーム６４０後面に形成された駆動回路基板６５０と、プラズマディスプレイ装置の外形を決める筐体としてのセット６６０と、を含む。
【００２６】
プラズマディスプレイパネル６１０は、前面パネル(図示せず)と背面パネル(図示せず)とが一定な間隔を置いて合着されて形成される。
【００２７】
機能性フィルター６２０は、フィルム形状で、プラズマディスプレイパネル６１０の前面にラミネイティング方法やその他多様な方法で附着する。
【００２８】
放熱シート６３０は、機能性フィルター６２０と同様にラミネイティング方法やその他多様な方法でプラズマディスプレイパネル６１０及びフレーム６４０に附着されて、プラズマディスプレイパネル６１０とフレーム６４０とを接合させる役目をしつつ、同時にプラズマディスプレイ装置駆動の時発生される熱をフレーム６４０方向に伝達する役目をする。
【００２９】
図４は、本発明による平板表示装置の中でプラズマディスプレイ装置の放熱シートを示す図である。
【００３０】
図示するように、本発明によるプラズマディスプレイ装置の放熱シートは、プラズマディスプレイパネル６１０と、フレーム６４０との間に形成される。このような放熱シート６３０は、フレキシブルな形態でプラズマディスプレイパネル６１０とフレーム６４０とを接着するための粘着剤または接着剤と、プラズマディスプレイ装置駆動の時発生される熱を效率的に放出させるために金属混合物とを含む。
【００３１】
放熱シート６３０を構成する粘着剤（又は接着剤）と金属混合物とは、それぞれ層を成して形成することが可能である。すなわち、金属混合物が一つの金属混合物層を形成し、粘着剤が金属混合物層の前面と背面とにそれぞれ粘着層として形成することが可能である。
【００３２】
金属混合物の材質はさまざまがあり得るが、望ましくはシリコーン樹脂と伝導性物質とを含む材質、又は、ウレタン樹脂と伝導性物質を含む材質の二つの場合が好適である。
【００３３】
シリコーン樹脂は、物質の特性の上、高温でも化学的に熱酸化安定性を持っており、耐水性と電気絶縁性等にすぐれた特性を持っていて伝導性が高い物質と混合するようになれば、放熱シート６３０の放熱特性を進めるようになる。
【００３４】
また、ウレタン樹脂は、物質の特性の上、シリコーン樹脂と同様に高温でも化学的に熱酸化安定性が強く、耐水性、電気絶縁性及び粘着性（又は接着性）などにもすぐれるのでシーリング材料に好適である。
【００３５】
伝導性物質は、熱伝達特性を持っている物質なら何れでも選択可能だが、望ましくはCu、Ag、Ti、Zn、Cr、Al、Auの内少なくとも何れか一つ以上を含む。
【００３６】
このような伝導性物質の組成割合は、シリコーン樹脂と伝導性物質とを含む金属混合物や、ウレタン樹脂と伝導性物質とを含む金属混合物の二つの場合の何れも、全体造成割合の１０％以上５０％以下であることが望ましい。
【００３７】
この時、放熱シート６３０の全体抵抗が１０Ω以上５０Ω以下になるように伝導性物質を採択するようにする。このような理由は、もし、放熱シート６３０に添加される伝導性物質の組成割合が全体組成の５０％を超過して伝導性物質の抵抗が１０Ω未満の場合には、抵抗成分が相対的に低くなるが、プラズマディスプレイパネル６１０及びフレーム６４０との接着力が落ちる。一方、放熱シート６３０に添加される伝導性物質の組成割合が全体組成の１０％未満で伝導性物質の抵抗が５０Ω超過の場合には、プラズマディスプレイパネル６１０及びフレーム６４０との接着力は向上するが、抵抗成分が相対的に大きくプラズマディスプレイ装置駆動の時発生する多くの熱を放熱シート６３０を通じてフレーム６４０に伝導させることが円滑にできない可能性があるからである。
【００３８】
図５は、本発明による平板表示装置の中で、プラズマディスプレイ装置の他の放熱シートを示す図である。
【００３９】
図示するように、本発明によるプラズマディスプレイ装置の他の放熱シートは、図４のようにプラズマディスプレイパネル６１０とフレーム６４０との間に等しく形成される。このような放熱シート６３０は、黒鉛と粘着剤（又は接着剤）とがそれぞれ層（６３０ａ、６３０ｂ）を成して形成される。すなわち、黒鉛が一つの黒鉛層６３０ａを形成して、粘着剤が黒鉛層６３０の前面と背面とにそれぞれ粘着層６３０ｂを形成する。
【００４０】
黒鉛層６３０ａは、炭素からなる六方晶係に属する鉱物として、化学的に安定して高温でも熱酸化安全性及び耐熱性が優秀である。
【００４１】
このような放熱シート６３０も、全体抵抗が１０Ω以上５０Ω以下になるように伝導性物質を採択するようにする。
【００４２】
このような本発明に係る放熱シートは、本実施形態で説明したプラズマディスプレイ装置だけでなく、ＬＣＤやＦＥＤのようなその他の平板ディスプレイ装置に適用が可能である。
【図面の簡単な説明】
【００４３】
【図１】従来プラズマ表示装置の構造を概略的に示す図。
【図２】従来のプラズマ表示装置の放熱シートを概略的に示す図。
【図３】本発明による平板表示装置の中で一つの例である放熱シートを含んだプラズマディスプレイ装置を示す図。
【図４】本発明による平板表示装置の中でプラズマディスプレイ装置の放熱シートを示す図。
【図５】本発明による平板表示装置の中でプラズマディスプレイ装置の他の放熱シートを示す図。
【図３】
2006201794.tif 000003
【図１】
2006201794.tif 000004
【図２】
2006201794.tif 000005
【図４】
2006201794.tif 000006
【図５】
2006201794.tif 000007